(57)【要約】【課題】頬及び側頭部にかかる負担を低減させると共に、寝心地を良好にすることができる芯材を提供する。【解決手段】一実施形態に係る芯材は、使用者の後頭部が当てられる枕のカバ−に収容され、長手方向Ｄ１、及び長手方向Ｄ１に交差する幅方向Ｄ２に延在する芯材１である。芯材１は、使用者側に向けられる表面において、幅方向Ｄ２の中央部分であって且つ長手方向Ｄ１の両側部分のそれぞれに設けられる凹部と、後頭部の反対側に向けられる裏面３において、長手方向Ｄ１及び幅方向Ｄ２の中央部分に位置する凹部３ａと、を備えている。【選択図】図５
2018175793.tif 000002
【特許請求の範囲】
【請求項１】
使用者の後頭部が当てられる枕のカバーに収容され、長手方向、及び前記長手方向に交差する幅方向に延在する芯材であって、
前記後頭部側に向けられる表面において、前記幅方向の中央部分であって且つ前記長手方向の両側部分のそれぞれに設けられる第１凹部と、
前記後頭部の反対側に向けられる裏面において、前記長手方向及び前記幅方向の中央部分に位置する第２凹部と、
を備えた芯材。
【請求項２】
前記第２凹部の深さは、前記裏面の中央から離れるに従って徐々に浅くなる、
請求項１に記載の芯材。
【請求項３】
前記第２凹部は、前記裏面において前記長手方向に延びる形状とされている、
請求項１又は２に記載の芯材。
【請求項４】
前記第２凹部の幅は、前記裏面において前記長手方向の両端側に向かうに従って徐々に狭くなる、
請求項１〜３のいずれか一項に記載の芯材。
【発明の詳細な説明】
【技術分野】
【０００１】
本発明は、枕のカバーに収容される芯材に関する。
【背景技術】
【０００２】
枕のカバーに収容される芯材としては、従来から種々のものが知られている。特開２０１５−１５０３７３号公報には、下層芯材及び上層芯材から成る枕の芯材が記載されている。この芯材はカバーに被覆されて使用される。下層芯材は、最下層に位置しており、下層芯材の直上に上層芯材が配置されている。
【０００３】
上層芯材の上側には、後頭載置部と、頸椎載置部と、側頭載置部とが設けられており、後頭載置部に対して、側頭載置部及び頸椎載置部が盛り上がった形状を成している。この芯材では、側頭載置部が後頭載置部よりも高く盛り上がっている。よって、相対的に高い側頭載置部の間の後頭載置部に後頭部を入り込ませることにより、後頭部の位置の安定を図っている。
【先行技術文献】
【特許文献】
【０００４】
【特許文献１】特開２０１５−１５０３７３号公報
【発明の概要】
【発明が解決しようとする課題】
【０００５】
しかしながら、前述した芯材では、使用者が横向き寝をしたときに、使用者の首と側頭載置部及び頸椎載置部との間に隙間が形成され、枕から首が浮いてしまう。また、横向き寝をした状態において、使用者の頬は側頭載置部に密着する。よって、首が枕から浮くと共に、頬が枕に密着した状態となるため、頬に対する圧力が高くなり頬を圧迫して側頭部に負担がかかるという問題がある。頬又は側頭部にかかる負担が大きくなると、寝返りをしづらくなるので、寝心地が損なわれる可能性がある。
【０００６】
本発明は、頬及び側頭部にかかる負担を低減させると共に、寝心地を良好にすることができる芯材を提供することを目的とする。
【課題を解決するための手段】
【０００７】
本発明の芯材は、使用者の後頭部が当てられる枕のカバーに収容され、長手方向、及び長手方向に交差する幅方向に延在する芯材であって、後頭部側に向けられる表面において、幅方向の中央部分であって且つ長手方向の両側部分のそれぞれに設けられる第１凹部と、後頭部の反対側に向けられる裏面において、長手方向及び幅方向の中央部分に位置する第２凹部と、を備えている。
【０００８】
この芯材は、後頭部側に向けられる表面において、芯材の長手方向の両側部分に設けられた第１凹部を備えている。よって、使用者が横向き寝をしたときには、頬及び側頭部が第１凹部に入ることにより、頬及び側頭部に対する圧迫を低減させることができる。従って、頬及び側頭部を表面の第１凹部に入らせることによって使用者の肩が簡単に持ち上がるので、寝返りをスムーズ且つ容易に打つことができる。また、この芯材は、裏面の中央部分に位置する第２凹部を備える。よって、使用者の後頭部を裏面の第２凹部で受け止めることにより、使用者の首を第２凹部の手前部分に確実に埋め込ませることができる。従って、首を芯材に埋め込ませて枕から首が浮くことを抑制することができるので、後頭部及び側頭部にかかる負担を低減させることができる。このため、後頭部及び側頭部の圧力が分散されるので、寝返り性を高めることができると共に寝心地を良好にすることができる。
【０００９】
また、第２凹部の深さは、裏面の中央から離れるに従って徐々に浅くなってもよい。この場合、芯材の裏面の第２凹部の深さは、中央から離れるに従って徐々に浅くなるので、使用者が横向き寝をしたときに、後頭部が第２凹部の中央からスムーズに離れることになる。従って、肩をスムーズに持ち上げることができるので、寝返り性をより高めることができる。
【００１０】
また、第２凹部は、裏面において長手方向に延びる形状とされていてもよい。この場合、芯材の長手方向における使用者の身体の動きをスムーズにすることができるので、寝返り性をより高めることができる。
【００１１】
また、第２凹部の幅は、裏面において長手方向の両端側に向かうに従って徐々に狭くなってもよい。この場合、芯材の長手方向の両端側に向かうに従って第２凹部の幅が徐々に狭くなるので、使用者は、第２凹部に沿って後頭部を移動させることにより、横向き寝をスムーズに行うことができる。従って、肩を更に持ち上げやすくなるので、寝心地を一層良好にすることができる。
【発明の効果】
【００１２】
本発明によれば、頬及び側頭部にかかる負担を低減させると共に、寝心地を良好にすることができる。
【図面の簡単な説明】
【００１３】
【図１】実施形態に係る芯材が収容されたカバーの一例を示す平面図である。
【図２】図１の芯材の表面を示す斜視図である。
【図３】図１の芯材の裏面を示す斜視図である。
【図４】図２の表面を拡大して示す平面図である。
【図５】図３の裏面を拡大して示す底面図である。
【図６】図１の芯材を長手方向の両端側から見た側面図である。
【図７】（ａ）は、図１の芯材を用いた場合における使用者の身体の動きを示す図である。（ｂ）は、従来の芯材を用いた場合における使用者の身体の動きを示す図である。
【発明を実施するための形態】
【００１４】
以下では、図面を参照しながら本発明に係る芯材の実施形態について説明する。以下の説明において、同一又は相当する要素には同一の符号を付し、重複する説明を適宜省略する。本明細書において、「幅方向の中央部分」は、幅方向の中央を含む部分を示しており、全体として幅方向の中央からずれていても当該中央が含まれた領域であれば該当する。「長手方向の中央部分」は、上記同様、長手方向の中央を含む部分を示しており、全体として長手方向の中央からずれていても当該中央が含まれた領域であれば該当する。また、「長手方向の両側部分」は長手方向の中央を挟んだ両側の部分を示している。
【００１５】
図１及び図２に示されるように、本実施形態に係る芯材１は、枕ＰのカバーＰ１に収容されて使用される。芯材１は、全体として長方形状を成しており、高い柔軟性を有する。芯材１は、例えば、左右対称とされている。芯材１は、低反発の発泡ウレタンであり、ウレタンモールド成型によって形成されている。
【００１６】
例えば、カバーＰ１は、メッシュ素材によって構成されており、高い通気性が確保されている。カバーＰ１は、芯材１に沿った形状を成しており、各長辺の両端及び中央が盛り上がる波形状を備えたリボン形又は蝶形とされている。カバーＰ１は、長手方向（図１における横方向）に延びると共に幅方向（図１における上下方向）の中央に位置するファスナーＰ２を備えており、ファスナーＰ２によって開閉自在とされている。ファスナーＰ２が開けられることによって、カバーＰ１に対する芯材１の収容及び取り出しが行われる。なお、芯材１を収容するカバーの態様としては、カバーＰ１に限られず、適宜変更可能である。
【００１７】
図２及び図３に示されるように、芯材１は、長手方向Ｄ１、幅方向Ｄ２及び高さ方向Ｄ３に延在する略直方体状を成している。具体的には、芯材１は、長手方向Ｄ１に延びると共に両端及び中央が盛り上がる波形状とされた一対の端辺１ａを備えるリボン形又は蝶形とされている。長手方向Ｄ１、幅方向Ｄ２及び高さ方向Ｄ３は、互いに交差（例えば直交）している。
【００１８】
芯材１は、使用者Ｍ（図７参照）の後頭部Ｍ１側に向けられる表面２と、後頭部Ｍ１の反対側（敷き布団側）に向けられる裏面３とを有する。また、芯材１は、前述した一対の端辺１ａと、表面２において幅方向Ｄ２に延びる一対の端辺１ｂと、裏面３において幅方向Ｄ２に延びる一対の端辺１ｃとを備える。表面２は一対の端辺１ａ及び一対の端辺１ｂを含んでおり、裏面３は一対の端辺１ａ及び一対の端辺１ｃを含んでいる。
【００１９】
端辺１ａは、長手方向Ｄ１の両端それぞれに設けられた第１凸部１１と、長手方向Ｄ１の中央に設けられた第２凸部１２と、第１凸部１１及び第２凸部１２の間に位置する凹部１３と、を有する。第１凸部１１、凹部１３及び第２凸部１２は、この順で滑らかに接続している。
【００２０】
表面２は、その長手方向Ｄ１の両側部分のそれぞれに周囲よりも窪んだ凹部２ａ（第１凹部）を有する。凹部２ａは、長手方向Ｄ１の両端側（端辺１ｂ側）に向かうに従って広がる形状とされている。例えば、凹部２ａは、長手方向Ｄ１の中央側に中心を有する扇形状とされている。凹部２ａは、長手方向Ｄ１及び幅方向Ｄ２に対して傾斜する一対の斜辺２ｅによって形成されている。
【００２１】
裏面３は、長手方向Ｄ１及び幅方向Ｄ２の中央部分に周囲よりも窪んだ凹部３ａ（第２凹部）を有する。凹部３ａは、長手方向Ｄ１の両端側（端辺１ｃ側）に向かうに従って狭まる形状とされている。凹部３ａは、例えば、左右対称とされた流線形状を成している。また、芯材１は、芯材１を高さ方向Ｄ３に貫通する複数の第１貫通孔４ａ、及び複数の第２貫通孔４ｂを有する。
【００２２】
図４に示されるように、表面２は、前述した一対の凹部２ａと、長手方向Ｄ１及び幅方向Ｄ２の中央に位置する中央部２ｂと、幅方向Ｄ２の一方側に位置する第１端部２ｃと、幅方向Ｄ２の第１端部２ｃとの反対側に位置する第２端部２ｄと、を有する。凹部２ａの高さは、中央部２ｂの高さよりも低い。中央部２ｂの高さは、第１端部２ｃ及び第２端部２ｄの高さよりも低い。また、第１端部２ｃの高さは、第２端部２ｄの高さよりも高い。
【００２３】
すなわち、第１端部２ｃ、第２端部２ｄ、中央部２ｂ及び凹部２ａは、この順で高くなっている。例えば、凹部２ａの高さは２ｃｍ以上且つ９ｃｍ以下であり、中央部２ｂの高さは３ｃｍ以上且つ１０ｃｍ以下である。第１端部２ｃの高さは５ｃｍ以上且つ１２ｃｍ以下であり、第２端部２ｄの高さは４ｃｍ以上且つ１１ｃｍ以下である。
【００２４】
例えば、表面２（芯材１）の長手方向Ｄ１の長さＬ１は、４５ｃｍ以上且つ６５ｃｍ以下であり、表面２の中央部２ｂにおける幅Ｂ１は、２５ｃｍ以上且つ４５ｃｍ以下である。また、表面２の長手方向Ｄ１の両端における幅Ｂ２（端辺１ｂの長さ）は、３０ｃｍ以上且つ５０ｃｍ以下である。また、表面２の凹部１３間の幅Ｂ３は、２０ｃｍ以上且つ４０ｃｍ以下である。このように、幅Ｂ２は幅Ｂ１よりも長く、幅Ｂ１は幅Ｂ３よりも長い。
【００２５】
表面２の中央部２ｂには、前述した複数の第１貫通孔４ａが形成されている。各第１貫通孔４ａの直径は、例えば、１ｃｍ以上且つ３ｃｍ以下である。一例として、５個の第１貫通孔４ａが形成されており、１個の第１貫通孔４ａは表面２の中央に位置する。また、残り４個の第１貫通孔４ａは、上記１個の第１貫通孔４ａを中心とした仮想の正方形Ｓの頂点に配置されている。正方形Ｓの各辺は、長手方向Ｄ１及び幅方向Ｄ２に対して傾斜しており、例えば長手方向Ｄ１及び幅方向Ｄ２に対して４５°の角度を成すように配置されている。正方形Ｓの一辺の長さは、例えば、５ｃｍ以上且つ１５ｃｍ以下である。
【００２６】
例えば、第１端部２ｃ側の端辺１ａから最も近い１つの第１貫通孔４ａの中心までの距離Ｋ１は、８ｃｍ以上且つ１８ｃｍ以下である。また、第２端部２ｄ側の端辺１ａから最も近い第１貫通孔４ａの中心までの距離Ｋ２は、５ｃｍ以上且つ１５ｃｍ以下である。第１端部２ｃ側の端辺１ａから幅方向Ｄ２の中央に位置する第１貫通孔４ａの中心までの距離Ｋ３は、１２ｃｍ以上且つ２３ｃｍ以下であり、第２端部２ｄ側の端辺１ａから幅方向Ｄ２の中央に位置する第１貫通孔４ａの中心までの距離Ｋ４は、１０ｃｍ以上且つ２０ｃｍ以下である。例えば、距離Ｋ１は距離Ｋ２よりも長く、且つ距離Ｋ３は距離Ｋ４よりも長い。
【００２７】
第１貫通孔４ａの長手方向Ｄ１の両側には、前述した複数の第２貫通孔４ｂが形成されている。各第２貫通孔４ｂの直径は、各第１貫通孔４ａの直径よりも小さく、例えば０．５ｍｍ以上且つ１．５ｍｍ以下である。第１貫通孔４ａの長手方向Ｄ１の一方側には長方形状となるように複数の第２貫通孔４ｂが配置されており、第１貫通孔４ａの長手方向Ｄ１の他方側（上記一方側の反対側）には長方形状となるように複数の第２貫通孔４ｂが配置されている。複数の第２貫通孔４ｂは、例えば、左右対称となる位置に配置されている。
【００２８】
例えば、複数の第２貫通孔４ｂは凹部２ａに形成されており、これにより芯材１の柔軟性が一層高められる。一例として、３０個の第２貫通孔４ｂが配置されており、３０個の第２貫通孔４ｂのうち１５個が長手方向Ｄ１の一方側に配置され、残り１５個が長手方向Ｄ１の他方側に配置されている。１５個の第２貫通孔４ｂは、縦に５個、横に３個にそれぞれ並んでおり、縦長の長方形状を成している。１５個の第２貫通孔４ｂのうち、幅方向Ｄ２の中央であって且つ長手方向Ｄ１両端側の２個の第２貫通孔４ｂが凹部２ａに形成されている。なお、各凹部２ａに形成される第２貫通孔４ｂの個数は、３個又は４個であってもよい。
【００２９】
図５に示されるように、裏面３は、長手方向Ｄ１に延びる凹部３ａと、表面２の第１端部２ｃ側に位置する第１部分３ｄと、凹部３ａから見て第１部分３ｄの反対側に位置する第２部分３ｅと、を有する。第１部分３ｄ及び第２部分３ｅは、平坦状、又は、盛り上がるように湾曲した形状を成している。
【００３０】
凹部３ａは、全体として、長手方向Ｄ１に延びる流線形状とされている。例えば、凹部３ａは、第２部分３ｅ側に回転中心を有する円弧状の第１湾曲部３ｆと、第１部分３ｄ側に回転中心を有する円弧状の第２湾曲部３ｇと、によって形成されている。凹部３ａには、前述した第１貫通孔４ａ及び第２貫通孔４ｂが形成されている。
【００３１】
例えば、凹部３ａには、複数の第１貫通孔４ａ及び複数の第２貫通孔４ｂが形成されている。また、凹部３ａに全ての第１貫通孔４ａが形成されていてもよく、一部の第１貫通孔４ａのみが凹部３ａに形成されていてもよい。また、図５に示される例では、第１貫通孔４ａの長手方向Ｄ１の一方側及び他方側のそれぞれに２個の第２貫通孔４ｂが形成されているが、凹部３ａに形成される第２貫通孔４ｂの個数は１個又は３個以上であってもよい。
【００３２】
凹部３ａは、凹部３ａの中央３ｂ（裏面３の中央に相当）から離間するに従って、凹部３ａの深さが徐々に浅くなるように形成されている。凹部３ａの中央３ｂ付近（第１貫通孔４ａの隣接位置）の深さは、例えば２ｃｍであり、中央３ｂから離れるに従って凹部３ａは徐々に浅くなる。凹部３ａの中央３ｂにおける幅Ｂ４は最も広くなっており、凹部３ａの幅は中央３ｂから長手方向Ｄ１の両端に向かうに従って徐々に狭くなっている。
【００３３】
図６は、芯材１を長手方向Ｄ１側から見た側面図である。図６に示されるように、芯材１の側面１ｄは、舟型とされている。すなわち、表面２側の端辺１ｂが比較的直線状とされているのに対し、裏面３側の端辺１ｃは端辺１ａから下方に大きく延びる形状とされている。端辺１ｂは、幅方向Ｄ２の中央に凹部２ａに連続する凹部１ｅを有する。端辺１ｃは、端辺１ａから下方に直線状に延びると共に下方に空間Ａを形成する一対の傾斜部１ｆと、一対の傾斜部１ｆの間で平坦状とされた底部１ｇとによって形成される。
【００３４】
例えば、凹部１ｅ及び底部１ｇにおける芯材１の高さＨ１は、２ｃｍ以上且つ９ｃｍ以下である。側面１ｄの第１端部２ｃ及び第１部分３ｄ側の高さＨ２は、５ｃｍ以上且つ１２ｃｍ以下であり、側面１ｄの第２端部２ｄ及び第２部分３ｅ側の高さＨ３は、４ｃｍ以上且つ１１ｃｍ以下である。このように、高さＨ２は高さＨ３より高くなっている。また、第１端部２ｃの幅方向Ｄ２の長さＬ２は、第２端部２ｄの幅方向Ｄ２の長さよりも長く、例えば６ｃｍ以上且つ１３ｃｍ以下である。
【００３５】
以上のように構成された芯材１から得られる作用効果について説明する。
【００３６】
図４及び図５に示されるように、芯材１は、後頭部Ｍ１側に向けられる表面２において、芯材１の長手方向Ｄ１の両側部分に設けられた凹部２ａを備えている。よって、使用者Ｍが横向き寝をしたときには、頬及び側頭部が凹部２ａに入ることにより、頬及び側頭部に対する圧迫を低減させることができる。
【００３７】
また、図７（ｂ）に示されるように、従来の芯材を備えた枕１００では、使用者Ｍの頬及び側頭部の可動範囲Ｒが狭いため、肩Ｍ２が上がりにくいという問題があった。枕１００では、肩Ｍ２が上がりにくいと共に、使用者Ｍの頬を圧迫して側頭部に負担がかかるので、寝返りをしづらく寝心地が損なわれるという問題があった。
【００３８】
これに対し、本実施形態に係る芯材１を備えた枕Ｐでは、図７（ａ）に示されるように、頬及び側頭部を表面２の凹部２ａに入らせることによって可動範囲Ｒを広げることができる。従って、使用者Ｍの肩Ｍ２が簡単に持ち上がるので、寝返りをスムーズ且つ容易に打つことができる。
【００３９】
また、芯材１は、裏面３の中央部分に位置する凹部３ａを備える。よって、芯材１の柔軟性が高められることにより可動範囲Ｒを広げることができる。また、使用者Ｍの後頭部Ｍ１を裏面３の凹部３ａで受け止めることにより、使用者Ｍの首を凹部３ａの手前部分（例えば第１部分３ｄ）に確実に埋め込ませることができる。
【００４０】
従って、首を芯材１に埋め込ませて枕Ｐから首が浮くことを抑制することができるので、後頭部Ｍ１及び側頭部にかかる負担を低減させることができる。このため、後頭部Ｍ１及び側頭部の圧力が分散されるので、寝返り性を高めることができると共に寝心地を良好にすることができる。
【００４１】
また、凹部３ａの深さは、裏面３の中央３ｂから離間するに従って徐々に浅くなっている。よって、芯材１の裏面３の凹部３ａの深さは、中央３ｂから離れるに従って徐々に浅くなるので、使用者Ｍが横向き寝をして後頭部Ｍ１が凹部３ａの中央３ｂからスムーズに離れることになる。従って、横向き寝のときに肩Ｍ２をスムーズに持ち上げることができるので、寝返り性を高めることができる。
【００４２】
また、凹部３ａは、裏面３において長手方向Ｄ１に延びる形状とされている。よって、芯材１の長手方向Ｄ１における使用者Ｍの身体の動きをスムーズにすることができるので、寝返り性をより高めることができる。
【００４３】
また、図５に示されるように、凹部３ａの幅は、裏面３において長手方向Ｄ１の両端側に向かうに従って徐々に狭くなっている。よって、芯材１の長手方向Ｄ１の両端側に向かうに従って凹部３ａの幅が徐々に狭くなるので、使用者Ｍは、凹部３ａに沿って後頭部Ｍ１及び首を移動させることにより、横向き寝をスムーズに行うことができる。従って、肩Ｍ２を更に持ち上げやすくなるので、寝心地を一層良好にすることができる。
【００４４】
また、芯材１は、リボン形又は蝶形とされており、芯材１の各端辺１ａは、両端及び中央が盛り上がる波形状とされている。よって、芯材１の意匠性を高めることができる。また、端辺１ａの中央の盛り上がった部分に使用者Ｍの首が埋まるので、首と枕Ｐとの間に隙間が形成されないようにすることができる。従って、枕Ｐへの使用者Ｍの身体の接触面積を大きくすることによって圧力を分散させることができるので、寝心地の一層の向上に寄与する。
【００４５】
また、図４に示されるように、表面２の凹部２ａは、長手方向Ｄ１及び幅方向Ｄ２に対して傾斜する斜辺２ｅを有する。よって、使用者Ｍが横向き寝をしたときに頬を凹部２ａに一層入り込ませやすくすることができると共に、首を凹部２ａの手前部分（例えば第１端部２ｃ）に密着させることができる。従って、横向き寝をしたときにおける頬への圧迫感を低減させることができると共に、横向き寝をしたときのフィット感を良好にすることができる。
【００４６】
また、図６に示されるように、表面２は、幅方向Ｄ２の一方側に位置する第１端部２ｃと、幅方向Ｄ２の第１端部２ｃとの反対側に位置する第２端部２ｄと、を有し、第１端部２ｃの高さＨ２は、第２端部２ｄの高さＨ３よりも高い。よって、使用者Ｍの首の高さに応じて、第１端部２ｃ及び第２端部２ｄのどちらを首側に向けるかを選択することができる。従って、使用者Ｍの首の高さに応じて表面２の高さを選択することができるので、使用者Ｍの寝心地を更に良好にすることができる。
【００４７】
また、芯材１の側面１ｄにおける幅方向Ｄ２の両端には、下方に空間Ａを形成する一対の傾斜部１ｆが設けられる。よって、空間Ａから芯材１の下に手を入れやすくすることができる。また、側面１ｄは、舟型とされているので、使用者Ｍが横向き寝をしたときに肩Ｍ２を枕Ｐに乗りにくくすることができる。従って、肩Ｍ２が枕Ｐに乗らないことによって首を枕Ｐに埋めることができるので、圧力を分散させて寝心地を向上させることができる。
【００４８】
また、図５に示されるように、芯材１は、裏面３の凹部３ａに複数の貫通孔４ａ，４ｂを備える。従って、芯材１の通気性を高めると共に、芯材１を更に柔らかくすることができる。よって、フィット感を向上させることができると共に、寝心地の更なる向上に寄与する。また、芯材１が柔らかいことによって使用者Ｍの首を確実に枕Ｐに埋め込ませることができる。
【００４９】
以上、本発明に係る芯材の実施形態について説明したが、本発明は、前述した実施形態に限られるものではなく、各請求項に記載した要旨を変更しない範囲で変形してもよい。すなわち、本発明は、特許請求の範囲に記載した要旨を変更しない範囲において種々の変形が可能である。
【００５０】
例えば、前述の実施形態では、裏面３の凹部３ａが流線形状である例について説明した。しかしながら、裏面の凹部の形状は、楕円形状、長円形状、円形状又は多角形状であってもよく適宜変更可能である。また、裏面の凹部の大きさ、数及び配置態様についても適宜変更可能である。
【００５１】
また、前述の実施形態では、複数の貫通孔４ａ，４ｂを備えた芯材１について説明したが、貫通孔の形状、大きさ、数及び配置態様は適宜変更可能である。更に、貫通孔を省略してもよい。
【００５２】
また、前述の実施形態では、側面１ｄが舟型である芯材１について説明したが、芯材の側面の形状は、例えば、楕円状、長円状又は多角形状等、舟型とは異なる形状であってもよい。更に、前述の実施形態では、リボン形又は蝶形の芯材１について説明したが、芯材そのものの形状も適宜変更可能である。
【００５３】
また、前述の実施形態では、低反発の発泡ウレタンでありウレタンモールド成型によって形成された芯材１について説明した。しかしながら、芯材の素材についても適宜変更可能である。例えば、高反発の発泡ウレタンから成る芯材であってもよいし、天然ゴム又は合成ゴム等のゴム素材から成る芯材であってもよい。更に、複数の線状のポリエチレン素材が互いに絡み合って形成された三次元樹脂構造体から成る芯材であってもよい。
【符号の説明】
【００５４】
１…芯材、１ａ，１ｂ，１ｃ…端辺、１ｄ…側面、１ｅ…凹部、１ｆ…傾斜部、１ｇ…底部、２…表面、２ａ…凹部（第１凹部）、２ｂ…中央部、２ｃ…第１端部、２ｄ…第２端部、２ｅ…斜辺、３…裏面、３ａ…凹部（第２凹部）、３ｂ…中央、３ｄ…第１部分、３ｅ…第２部分、３ｆ…第１湾曲部、３ｇ…第２湾曲部、４ａ…第１貫通孔、４ｂ…第２貫通孔、１１…第１凸部、１２…第２凸部、１３…凹部、Ａ…空間、Ｂ１，Ｂ２，Ｂ３，Ｂ４…幅、Ｄ１…長手方向、Ｄ２…幅方向、Ｄ３…高さ方向、Ｋ１，Ｋ２，Ｋ３，Ｋ４…距離、Ｍ…使用者、Ｍ１…後頭部、Ｍ２…肩、Ｐ…枕、Ｐ１…カバー、Ｐ２…ファスナー、Ｓ…正方形。
【図１】
2018175793.tif 000003
【図２】
2018175793.tif 000004
【図３】
2018175793.tif 000005
【図４】
2018175793.tif 000006
【図５】
2018175793.tif 000007
【図６】
2018175793.tif 000008
【図７】
2018175793.tif 000009